(57)【特許請求の範囲】
【請求項１】
携帯フォーンが挿入される挿入部を有する本体部と；
前記挿入された携帯フォーンを固定する支持手段と；
前記挿入部の下端で、携帯フォーン・バッテリーの後面端子に接触する垂直接触端子部とバッテリー底部端子に接触する水平接触端子部とからなり、それぞれの前記端子部は陽極接触端子と陰極接触端子とに分けられた接触端子部と；
前記接触端子部の陽極接触端子と陰極接触端子とを近接或いは離間する機能を備えた調整手段を有する可動移送部と；
で構成されることを特徴とする多機種携帯フォーン用バッテリー充電器。
【請求項２】
前記挿入部を覆うカバーと、前記カバーをロック（lock）或いはアンロック(unlock)できるロッキング・デバイス（locking
device）とを備える請求項１に記載の多機種携帯フォーン用バッテリー充電器。
【請求項３】
前記支持手段は、前記挿入部に前記携帯フォーンを固定する磁石を有する請求項１に記載の多機種携帯フォーン用バッテリー充電器。
【請求項４】
前記接触端子部は、多様な携帯フォーン・バッテリーの端子の高さに対応できるための、複数個の異なる高さの前記垂直接触端子部を有する請求項１に記載の多機種携帯フォーン用バッテリー充電器。
【請求項５】
前記可動移送部は、相互に位置の異なる前記陽極接触端子と陰極接触端子との下にある２つのギアを有し、前記ギア部はピニオンにより結合されており、ピニオンを回すことによって前記ギア部が移動して、陽極接触端子と陰極接触端子とを同時に近接或いは離間するようになっている請求項１に記載の多機種携帯フォーン用バッテリー充電器。
【請求項６】
携帯フォーンを充電するために前面に挿入・固定する支持部を有する携帯フォーン用バッテリー充電器であって、
挿入された前記携帯フォーンを前記支持部の両側面から中央へ押すための弾性部材を有する側面プレートと；
挿入された前記携帯フォーンを後面から前方へ押すための弾性部材を有する後面プレートと；
前記支持部の下端に設けられ、前記携帯フォーン・バッテリーの端子と接触する接触端子部と；
前記接触端子部の陽極接触端子と陰極接触端子とを近接或いは離間する機能を備えた調整手段を有する可動移送部と；
で構成されることを特徴とする多機種携帯フォーン用バッテリー充電器。
【請求項７】
前記調整手段は、下側に形成されたギアを備える、前記陽極接触端子の下部で陽極接触端子と連結された陽極接続半体と、
上側に形成されたギアを備える、前記陰極接触端子の下部で陰極接触端子と連結された陰極接続半体と、
前記陽極接続半体と陰極接続半体とのギアの間にあるピニオンと、から構成される請求項６に記載の多機種携帯フォーン用バッテリー充電器。
【請求項８】
前記調整手段は、終端が外部に突出して、前記ピニオンの前面に連結された軸と、
前記軸の終端に結合された調整ダイアルとからなる請求項６に記載の多機種携帯フォーン用バッテリー充電器。
【請求項９】
前記接触端子部は、挿入された前記携帯フォーンのバッテリーの後面端子に接触するような、“∧”状の弾性形状を有し、
前記接触端子部の移動時に、滑らかな摺動を可能にするために、接触部位に固定されたスライド・ボールを備える請求項６に記載の多機種携帯フォーン用バッテリー充電器。
【請求項１０】
前記接触端子部は前記携帯フォーンから分離されたバッテリーの前面と下端部端子とが結合するように弾性のあるフック状に形成されており、
前記端子との接触部位には、滑らかな移動を可能とするスライド・ボールを備えたものである請求項６に記載の多機種携帯フォーン用バッテリー充電器。
【請求項１１】
本体と；
前記本体の上面の一部を除去して上下動可能となるように設けられた床板と；
前記床板と本体との間に介在するスプリングと；
前記スプリングを固定し、床板の上下移動を案内するガイド棒と；
前記本体の上面の一側に設けられた固定接点と；
調整ナットの操作によって固定接点との距離が調節できるようにされ、前記固定接点の反対側の前記本体の上面の他側に設けられた移動接点と；
及び、前記本体の上面一側に回動可能に設置され、挿入された携帯フォーンのバッテリーの上部を圧すローラーを下部に有し、前記ローラーが上下に移動できるように、内部にスプリングが設けられたバッテリー固定部と；
からなることを特徴とする携帯フォーン充電器。
【請求項１２】
本体と；
内部にスプリングを有し、上下に移動可能に、前記本体の上面一部に設けられた固定接点と；
前記固定接点の反対側の前記本体の上面の他側に設置され、調整ナットの操作によって固定接点との距離が調節可能で、内部にスプリングが設置されており、上下に移動可能なように設置された移動接点と；
及び、前記本体の上面一側に回動可能に設置され、挿入された携帯フォーンのバッテリーの上部を押し下げるローラーを下部に有し、内部にスプリングが設置されて前記ローラーが上下動可能にされたバッテリー固定部と；
からなることを特徴とする携帯フォーン充電器。
【請求項１３】
挿入された携帯フォーンのバッテリーの接点位置を検出するセンサーと、
前記移動接点と床板及びバッテリー固定部とを移動させるアクチュエーターと、
前記センサーからの信号を受けてアクチュエーターを駆動する制御部とを含む請求項１１に記載の携帯フォーン充電器。
【請求項１４】
挿入された携帯フォーンのバッテリーの接点位置を検出するセンサーと、
前記移動接点とバッテリー固定部を移動させるアクチュエーターと、
前記センサーからの信号を受けてアクチュエーターを駆動する制御部と、を含む請求項１２に記載の携帯フォーン充電器。
【請求項１５】
前記固定接点と移動接点は垂直接点と水平接点とを有する請求項１１ないし請求項１４のいずれか１項に記載の携帯フォーン充電器。
【請求項１６】
前記携帯フォーン・バッテリーの端子と前記充電器の接触端子部とが接触したときに、充電器下前面で点灯するランプを含むものである請求項１ないし請求項１０のいずれか１項に記載の携帯フォーン充電器。
【請求項１７】
前記バッテリー固定部は、前記本体の上面側に、内部で回転可能に設けられ、挿入された携帯フォーン・バッテリーの上部を抑えるローラー・べローと、前記ローラーの上下を固定するスプリングを備える請求項１１または請求項１２のいずれか1項に記載の携帯フォーン充電器。
【発明の詳細な説明】
【０００１】
【技術分野】
本発明は多機種携帯フォーン充電器に関するもので、一層詳細には使用する携帯フォーンの種類に関係なく、すべての携帯フォーンに一つの充電器で充電或いは再充電できる、充電器に関するものである。
【０００２】
【背景技術】
何時どこでも使用できるという利点により携帯フォーン（cellular phone）は漸次その使用が増加しており、最近は必需品としての位置を固めているというのが実情である。こうした携帯フォーンは、携帯性という特性により、電源供給として充電式乾電池（以下、充電池という）を用いているが、それは携帯フォーンの機種によって差異があるものの、連続的に使用するために周期的な充電を行なわねばならない。
【０００３】
一般的な携帯フォーン充電器の場合、携帯フォーンの挿入が可能となる溝を備えた本体と、携帯フォーンの充電池と接続して再充電する接続端子とで構成されている。この場合、充電器は、携帯フォーンの充電池と対応しうるように、溝と接続端子とを有するように構成されなければならない。そのため、もし、その溝や接続端子が接触できないと、再充電は不可能となる。
【０００４】
特に、最近では携帯フォーンのカラフルなファッション化傾向があり、新技術の開発に伴って製品のライフ・サイクルが短くなっているので、市場では多様な種類の新製品が出回っているのが実情であり、製品毎に異なる充電器を開発しなければならず、製品の製造単価が上昇するということまではいえないが、開発期間の長期化が起きる。更に、使用者が新しい携帯フォーンを購入する場合、新たな充電器をもまた購入しなければならず、結果的に資源の浪費となり、国家的にも深刻な問題となろう。従って、本発明はサイズや形が異なる多様なすべての携帯フォーンに適用可能な充電器の提供を目的としている。
【０００５】
【発明の開示】
上記の目的を達するために、この本発明の充電器は、挿入されることによって携帯フォーンが接続される挿入部を有する本体部と、前記挿入された携帯フォーンを固定する支持手段と、携帯フォーンと接触するために、垂直部及び水平部に分けられおり、前者は携帯フォーン・バッテリーの後面端子と接触するように、携帯フォーンの下端から延長された垂直部であり、後者はバッテリー底部端子と接触するように、延長された水平部であり、この垂直部及び水平部の両方がそれぞれ陽極接触端子と陰極接触端子とを有する接触端子部と、前記接触端子部の陽極接触端子と陰極接触端子とを近接或いは離間する機能を備えた調整手段を有する可動移送部と、で構成されることを特徴とする。
【０００６】
本発明によると、充電器は、カバーをロック（lock）或いはアンロック(unlock)できるロッキング・デバイス（locking device）を有する、充電器の前記挿入部を覆うカバーを更に備え、前記支持手段は、側面支持台と後面支持台とを有するとともに、前記挿入部の中央へ携帯フォーンを押すようになっており、前記挿入部は、前記側面支持台と後面支持台との両方に入出可能にされており、これらの支持台に十分な復元力を与えるためのスプリングを備えたガイド溝を有する。
【０００７】
前記支持手段は、前記携帯フォーンを固定する磁石を前記挿入部に有し、前記接触端子は、多様なタイプのバッテリーの異なる高さの端子に対応できように、複数個の端子高さがそれぞれ異なったものとなっている。
【０００８】
また、可動移送部は、陽極接触端子の上方と、陰極接触端子の下方において異なる高さのギア部に結合して配置されており、また、前記ギア間に挟まれたピニオンが設けられおり、前記ピニオンが回されると、陽極接触端子と陰極接触端子とを同時に近接或いは離間するように、前記ギア部が移動する。
【０００９】
本発明の別の特徴は、携帯フォーンを充電するために前面に挿入・固定する支持部を有する携帯フォーン用バッテリー充電器であって、携帯フォーンを中央へ押すための弾性部材を備え、その場所で保持する側面プレートと、携帯フォーンを後方から前方へ押すための弾性部材を備える後面プレートと、バッテリーの端子と接触するために前記支持部の下端に設けられた接触端子部と、前記接触端子部の陽極接触端子と陰極接触端子とを近接或いは離間する機能を備えた調整手段を有する可動移送部とから構成される。
【００１０】
本発明によると、前記可動移送部は、陽極接触端子と陰極接触端子とを同時に近接或いは相互に離間する調整手段を有しており、前記調整手段は、陰極接触端子と連結された陰極接続半体と、下側にあるギアとを備え、また、陽極接触端子と連結された陽極接続半体と、上側にあるギアとを備えるものであり、前記接続半体との双方のギア間にピニオンが噛み合わされている。
【００１１】
前記調整手段は前記ピニオンの前面に連結され、終端は外部に突出した軸とこの軸の終端に結合した調整ダイアルを備え、前記接触端子部は携帯フォーンのバッテリーの後面端子に接触するような、
“∧”状の弾性形状を有し、前記接触端子の移動時に滑らかな摺動を保証するために、接触部位に固定されたボールを備える。
【００１２】
接触端子部は、前記携帯フォーンから分離されたバッテリーの前面における下端部端子と接触するために、弾性のあるフック状に形成されており、前記端子との接触部位には、スライド・ボールも備えている。
【００１３】
さらに、この本発明によると、前記本体部の前面下部で前記携帯フォーン・バッテリーの端子と前記接触端子とが接触したとき点灯するランプを追加的に備えるものである。
【００１４】
また、別の本発明では、本体と、前記本体の上面の一部を除去して上下動可能となるように設けられた床板と、前記床板と本体との間に介在するスプリングと、前記スプリングを固定し、床板の上下移動を案内するガイド棒と、前記本体の上面の一側に設けられた固定接点と、調整ナットの操作によって固定接点との距離を持つことができ、前記固定接点の反対側に設けられた移動接点と、および、前記本体の上面一側に回動可能に設置され、前記本体の上部表面において移動可能であり、バッテリーの上部を圧すローラーを下部に有し、前記ローラーを容易に上下動できるために、内部にスプリングが設けられたバッテリー固定部と、からなることをもう一つの特徴とする。
【００１５】
そしてまた、本発明では、本体と、内部にスプリングを有し、上下に移動可能である、前記本体の上面一部に設けられた固定接点と、前記固定接点の反対側の前記本体の上面の他側に設置され、調節ナットの操作によって固定接点との距離が調節可能で、内部にスプリングが設置されており、上下に移動可能なように設置された移動接点と、及び、前記本体の上面一側に回動可能に設置され、バッテリーの上部を押し下げるローラーを下部に有し、前記ローラーの上下動を容易にするために、内部にスプリングが設置されたバッテリー固定部と、からなることをもう一つの特徴とする。
【００１６】
バッテリー固定部は、前記本体の上面側に、内部で回転可能に設けられ、挿入された携帯フォーン・バッテリーの上部を抑えるローラー・べロー（rallerbellow）と、前記ローラーの上下を固定するスプリングを備えるものである。
【００１７】
更に、バッテリーの接点の位置を検出するセンサーと、前記移動接点および床板を移動させるアクチュエーターと、前記センサーからの信号を受けて前記アクチュエーターを駆動する制御部を含むことももう一つの特徴である。
【００１８】
前記接点がそれぞれ垂直接点と水平接点とを有することもまたべつの特徴とする。
【００１９】
本発明の最後の特徴は、支持板と、この支持板と移動可能に結合する押さえ板と、支持板と押さえ板との間に設けられるリターン・スプリングと、押さえ板の下部に移動可能に設けられて支持板とともに携帯フォーンを固定する圧着板と、前記支持板の中心において垂直壁に当てて設けられた多数のピン形状接触端子と、前記ピン形状接触端子と隣り合わせて前記支持板の上面に形成された多数の板スプリング形状接触端子と、で構成されるものである。
【００２０】
【発明の実施形態】
以下、添付図面を参照しつつ、本発明の第１実施例を詳説する。
【００２１】
図１乃至図３に示すように、多機種携帯フォーン用の本発明に係る充電器（１０）は、携帯フォーンを挿入、固定できるように挿入部を有する本体部（１１）、そして本体部（１１）の下端に位置して携帯フォーン・バッテリーの端子（３）と接触する接触端子部（５０）とで構成されている。
【００２２】
また、多機種携帯フォーン充電器（１０）は挿入部（１２）の側面に形成した側面支持台（１３）、挿入部（１２）の後面に形成した後面支持台（１４）、および接触端子部（５０）を移動させる可動移送部（３０）を更に備える。
【００２３】
後面支持台（１４）は長方形に形成されて、後面（１５）が開放され、内部面の中央から固定突起（１６）が突出形成され、上下終端には掴み段（１７）が外部方向に形成される。
【００２４】
前記挿入部（１２）の後面には後面支持台（１４）が出入りできるように後面支持台（１４）の外形に合わせた後面ガイド溝（２０）が形成され、前記後面ガイド溝（２０）の底面には後面支持台（１４）の固定突起（１６）に対応して固定バー（２１）が突出形成される。そして、後面ガイド溝（２０）の上下面には掴み顎（２２）が形成され、後面支持台（１４）の掴み段（１７）は、後面支持台１４が前後に移動して離脱現象を防止するように、挿入され得る。後面支持台（１４）の固定突起（１６）と後面ガイド溝（２０）の固定バー（２１）との間には圧縮スプリング（２３）が装着される。
【００２５】
したがって、携帯フォーン（１）が充電器の本体部（１１）の挿入部（１２）に挿入されると、後面支持台（１４）が充電器（１０）の後面ガイド溝（２０）に沿って押し入れられ、圧縮スプリング（２３）は圧縮しながら後面支持台（１４）に復元力を与えて携帯フォーン（１）を前方へ押し出す。
【００２６】
側面支持台（１３）も長方形で、前面（２５）は丸みのある凹状に形成され、後面支持台（１４）と同一の構造を有し、充電器挿入部（１２）の側面ガイド溝（２６）に挿入されて携帯フォーン（１）を左右から中央へ押しやる。
【００２７】
接触端子部（５０）は充電器挿入部（１２）の後面下部に形成された両側の長方形溝（５１）から突出して携帯フォーン・バッテリー（２）の後面下部にある端子（３）と接触する。この接触端子部（５０）の端子（５７）は弾力を有し、バッテリーの端子（３）との接触部位には、スライド・ボール（５４）が装着されるか、或いは、丸い形状になっていて、端子（３）が接触のため移動するときの摺動が円滑とされている。
【００２８】
図２に示すとおり、可動移送部（３０）は終端に楔溝（３３）を有する陽極端子（３１）と陰極端子（３２）が、主回路基板（図示せず）から延びて突出し、この楔溝（３３）によって離脱を阻まれながら左右にスライド可能に引っ掛かり顎（３４）を有する陽極接続半体（３５）と陰極接続半体（３８）が上下にそれぞれ結合している。
【００２９】
陽極接続半体（３５）の一端上面には陽極接触端子（５２）二つが上向きに形成され、下面にはギア（３６）が形成される。陰極接続半体（３８）は一端には陽極接続半体（３５）と高さを合わせるために顎（３７）が形成され、この顎（３７）の上に二つの陰極接触端子（５３）が形成され、陽極接続半体（３５）のギア（３６）と合わせたギア（３９）が上向きに形成されている。
【００３０】
陽極接続半体（３５）の下面ギア（３６）と陰極接続半体（３８）の上面ギア（３９）の間には、ピニオン（４０）が噛み合い、このピニオン（４０）から外部に向けて軸（４１）が形成されて、軸（４１）の終端には接触端子部（５０）の位置を調節する調整ダイアル（４２）が取り付けてある。
【００３１】
したがって、調整ダイアル（４２）を時計の針の動く方向に回すと、ピニオン（４０）が、ピニオン（４０）の上部と下部に噛み合ったギア（３６、３９）を動くように回転し、陽極接触端子部（５２）と陰極接触端子部（５３）とが互いに近寄る。反対に調整ダイアル（４２）を時計の針の動く方向と反対に回すと、陽極接触端子部（５２）と陰極接触端子部（５３）とが互いに離れる。
【００３２】
図１における充電器（１０）の前面下部には接触ランプ（５５）と充電ランプ（５６）が形成され、図３におけるバッテリーの端子（３）に図１に示される接触端子部（５０）が接触すると、接触ランプ（５５）にライトが灯ることになり、調整ダイアル（４２）で接触端子（５０）を動かすときにその位置の選定を容易にし、そして、充電が終り次第、充電ランプ（５６）に灯が点る。
【００３３】
以下では、図１乃至図３を参照しながら本発明の第１実施例を詳説する。図１における充電器挿入部（１２）に図３に示される携帯フォーン（１）を挿入すると、後面支持台（１４）と側面支持台（１３）がガイド溝（２０、２６）へ押し入れられ、圧縮スプリング（２３）の復元力により携帯フォーンを中央前面へ押し付け常に一定した位置に携帯フォーンが置かれるようにする。
【００３４】
挿入された携帯フォーンのバッテリーの端子（３）が充電器の接触端子部（５０）に接触すると接触ランプ（５５）にライトが灯って接触したことを確認させ、若しライトが灯らなければ、上記した調整ダイヤル（４２）を操作することで、接触端子部（５０）を移動することが必要となる。
【００３５】
すなわち、調整ダイアル（４２）を時計回りに回すと陽極接触端子（５２）と陰極接触端子（５３）との間の距離が近づく。反対に調整ダイアル（４２）を反時計回りに回すと陽極接触端子（５２）と陰極接触端子（５３）との間の距離が離れる。このとき、接触端子部（５０）の接触部位にスライド・ボール（５４）が挿入されているのでバッテリー面での滑らかなスライドを促し、端子（３）と接触すると接触ランプ（５５）にライトが灯るのである。
【００３６】
充電器（１０）の前面ある調整ダイアル（４２）を回しながら接触端子部（５０）がバッテリーの端子（３）と接触したかどうかを接触ランプ（５５）の点灯有無によって確認する。これによって、携帯フォーンのサイズと形状とに関係なく携帯フォーンが充電器の挿入部（１２）に挿入され、接触端子部（５０）との接触を通して充電が行われる。
【００３７】
以下では必要に応じて添付図面を参照しながら、この本発明の第２実施例を詳説する。図４乃至図６に示すように、本発明の多機種携帯フォーンの充電器（１００）は、垂直部（１０２）と水平部（１０３）とを有する本体部（１０１）、本体部（１０１）に突出して携帯フォーンのバッテリーの端子（３）と接触する接触端子部（１２０）、この接触端子部（１２０）を左右に移動させる可動移送部（１３０）、および本体部（１０１）に固定した図６に示される携帯フォーン（１）を保護するカバー（１５０）とで構成する。
【００３８】
本体部（１０１）には、垂直部（１０２）の前面下端に図５に示される接触端子部（１２０）が突出して移動できるように長方形の端子ホール（１０４）が左右に形成され、前面上端部にはカバー（１５０）がヒンジで結合するように両端部にヒンジ軸（１０５）が突出する。また、前面の中央部には携帯フォーンを固定するための支持手段として磁石（１０６）が図６に示される固定リブ（１０７）によって付着される。
【００３９】
図４に示される本体部（１０１）の水平部（１０３）は上面には、長方形の端子溝（１１５）が左右に形成され、内部に可動移送部（１３０）をスライディング可能に固定するために図６に示される固定突起（１０８）が前後に突出する。この固定突起（１０８）は終端に溝（１０９）を有し、この溝（１０９）に沿って可動移送部（１３０）を移動させる。そして、前面部には、バッテリーの充電が完了したかどうかを知らせる充電ランプ（１１０）とバッテリーの端子（３）が接触端子部（１２０）と接触したかどうかを知らせる接触ランプ（１６１）とが左右に形成されている。そして中央部にカバー（１５０）を開閉調節するロッキング・デバイス（１１２）が取り付けてある。
【００４０】
接触端子部（１２０）は、携帯フォーン・バッテリーの後面の端子（３）に接触する垂直接触端子部（１２１、１２２）と、バッテリーの前面端子（４）に接触する水平接触端子部（１２５、１２６）とで構成される。
【００４１】
垂直接触端子部（１２１、１２２）は、バッテリー（２）の後面の端子（３）の高さがモデル毎に色々と違うため、端子（１２３）の高さを外部方向に進むにつれ段々高くなるようにして、陽極と陰極の垂直接触端子部（１２１、１２２）の突起の高さが“Ｖ”字形をとるようにする。
【００４２】
接触端子部（１２０）の端子（１２３）は弾性を有し、バッテリーの端子（３、４）との接触部位にはスライド・ボール（１２４）（図２における（５４）と同様）が装着されるか、または丸みを帯びた形になっていて、端子（３、４）が接触のため移動するときスライディングが円滑になる。
【００４３】
可動移送部（１３０）は、接触端子部（１２０）を固定する固定台（１３１）とこの固定台（１３１）に結合して固定台（１３１）を移動させるギア部（１３４、１３６）、そしてこのギア部（１３４、１３６）と噛み合うピニオン（１３８）とで構成する。
【００４４】
固定台（１３１）は、垂直片（１３２）とこの垂直片（１３２）の下端から延長した水平片（１３３）を有する。垂直片（１３２）の上面には垂直接触端子部（１２２）が垂直に固定され、水平片（１３３）の上面には水平接触端子部（１２６）が水平に固定される。そして、水平片（１３３）下端の前後面には本体部（１０１）の固定突起（１０８）に挿入されて左右にスライドしながら固定するようにスライド・リブ（１４５）が突出する。
【００４５】
また、陽極固定台（１４２）の前面には上面（１３５）にギアが形成された、下方支持用に“L”形にされた下部ギア（１３４）が結合する。そして、陰極固定台（１４３）は下面（１３７）にギアが形成された上部ギア（１３６）が噛み合う。
【００４６】
下部ギア（１３４）が上部ギア（１３６）との間にはピニオン（１３８）が噛み合う。図６において、このピニオン（１３８）の中央部には連結軸（１３９）が結合し、この連結軸（１３９）の終端には調節ダイアル（１４１）が装着される。そして連結軸（１３９）の所定の位置には外周面に溝（１４０）が形成されて、この溝（１４０）に本体部（１０１）から突出した回転ホール（１１３）の引っ掛かり段（１１４）が挿入されて連結軸（１３９）は回転可能であるが、そこから離脱できないようにしている。
【００４７】
したがって、調整ダイアル（１４１）を時計回りに回すとピニオン（１３８）が回転し、連動して噛み合った上部ギアと下部ギア（１３６、１３４）の間の距離が開く。そして調整ダイアル（１４１）を反時計回りに回すと陽極接触端子部（１２１、１２３）と陰極接触端子部（１２２、１２６）との間隔が狭まる。
【００４８】
充電器（１００）のカバー（１５０）は望ましくは透明な材料を用い、上端の両側には本体部（１０１）のヒンジ軸（１０５）に挿入できるようにホールを形成したヒンジ突起（１５１）が形成され、下端は本体部（１０１）のロッキングデバイス（１１２）と結合される。それゆえ、携帯フォーン（１）を充電器（１００）に固定したあとカバー（１５０）を覆い、ロッキングデバイスでロックすると、充電中はその場を留守にしても紛失のおそれがない。
【００４９】
以下では添付図面を参照しつつ、本発明の第２実施例の動作を一層詳細に説明する。図４乃至図６に示すように、携帯フォーン（１）を充電器の本体部（１０１）の中央へ接近させると、垂直部（１０２）の磁石（１０６）が携帯フォーン（１）を引き寄せて垂直部（１０２）に密着させる。磁石（１０６）によって密着した携帯フォーンを下向きに移動させて本体部（１０１）の水平部（１０３）に接触させると、携帯フォーン（１）のバッテリーの端子（３、４）と接触端子部（１２０）とが接触し接触ランプ（１６１）にライトが灯る。
【００５０】
もし接触がなされないと接触ランプ（１６１）にライトが灯らないから、使用者は接触如何を容易に識別できる。すなわち、調整ダイアル（１４１）を時計回りに回すと、陰極接触端子部（１２２、１２６）と陽極接触端子部（１２１、１２５）との間が遠ざかり、反時計回りに回すと接触端子部（１２０）の陰極接触端子部（１２２、１２６）と陽極接触端子部（１２１、１２５）との間が狭まる。バッテリーの端子（３、４）と接触端子部（１２０）とが接触すると接触ランプ（１６１）にライトが灯り、接触がなされたことを示す。充電中に、他に用事のある場合、そのあとカバー（１５０）を閉め、鍵でロッキングデバイス（１１２）によりロックしてその場を留守にできる。
【００５１】
一方、図７に示すように、携帯フォーンの充電器（１００）は本体部（１０１）の下端部にコイン入れ用のスリット（１５５）を付設して、充電を望む際、コインをそのスリット（１５５）に入れて始めて充電が行われるようにして、営業場所で有料充電用に利用することもできる。
【００５２】
以下では添付図面により本発明の第３実施例を詳説する。図８乃至図１０に示したように、フォーン用の充電器（２１０）は前面に携帯フォーン（２０１）を挿入し固定できる支持部（２１１）と、この支持部（２１１）の下端に位置して携帯フォーン（２０１）内のバッテリー（２０２）の端子（２０３）と接触する接触端子部（２５０）とで構成される。
【００５３】
また、多機種携帯フォーン用の充電器（２１０）は支持部（２１１）の両側面に形成された側面プレート（２１３）、支持部（２１１）の後面に形成した後面プレート（２１４）、および接触端子部（２５０）を移動させる可動移送部（２３０）とで構成される。
【００５４】
後面プレート（２１４）には、図１０に示したように、後面の上下終端に引掛顎（２１６）を有する突起バー（２１５）が備えられており、充電器（２１０）には突起バー（２１５）と一致するようにガイド・ピン（２１７）が押し入れられる。このガイド・ピン（２１７）には中央にホール（２１９）が形成され、このホール（２１９）の入口部に引掛顎（２１８）が同じく形成される。したがって、突起バー（２１５）がガイド・ピン（２１７）に挿入されると前後に移動可能となり、しかしながら引掛顎（２１６、２１８）によって離脱が阻まれる。
【００５５】
また、ガイド・ピン（２１７）と突起バー（２１５）の間には、弾性部材の圧縮スプリング（２２０）が取り付けられており、携帯フォーン（２０１）が充電器（２１０）の支持部（２１１）に挿入されると、携帯フォーン（２０１）の厚さによって後面プレート（２１４）が後方に移動するが、後面プレート（２１４）は圧縮スプリング（２２０）の復元力によって携帯フォーン（２０１）を前方へ押しやるので、常に一定した位置を占めるようにする。
【００５６】
側面プレート（２１３）も後面プレート（２１４）と同じく上下に突起バーとガイド・ピンが形成されていて、携帯フォーン（２０１）を一定した位置になるように補助するために、中央方向へ押す。
【００５７】
接触端子部（２５０）は、充電器の支持部（２１１）の後面の下部に形成された両側の長方形のホール（２５１）から突出している、携帯フォーン（２０１）のバッテリー（２０２）の後面下部にある端子（２０３）と接触する。この接触端子部（２５０）は弾力を有し、バッテリー（２０２）の端子（２０３）との接触部位にはスライド・ボール（２５４）が装着されていて、端子が接触のために移動するときのスライディングが円滑となる。
【００５８】
可動移送部（２３０）は、図９に示したとおり、終端に楔溝（２３３）を有した陽極端子（２３１）と陰極端子（２３２）とが、回路基板（図示せず）から延長して、上下に突出しており、この楔溝に離脱を阻まれながら、左右にスライディング可能に引掛顎（２３４）を有した陽極接続半体（２３５）と陰極接続半体（２３８）が上下に結合する。
【００５９】
陽極接続半体（２３５）の一端上面には、二つの陽極接触端子（２５２）が上向きに形成され、下面にはギア（２３６）が形成される。陰極接続半体（２３８）は、一端には陽極接続半体（２３５）と高さを合わせるために顎（２３７）が形成され、この顎（２３７）の上に二つの陰極接触端子（２５３）が形成される。上面には陽極接続半体（２３５）と同一のギア（２３９）が形成される。
【００６０】
陽極接続半体（２３５）の下面ギア（２３６）と陰極接続半体（２３８）の上面ギア（２３９）との間にはピニオン（２４０）が噛み合い、このピニオン（２４０）の前面には軸（２４１）が形成されて、軸（２４１）の終端には図１０に示される接触端子（２５０）の位置を調節する調整ダイアル（２４２）が結合される。したがって調整ダイアル（２４２）を時計回りに回すとピニオン（２４０）が回転することになり、ピニオン（２４０）の上部と下部に噛み合ったギア（２３６、２３９）が連動して陽極接触端子（２５２）と陰極接触端子（２５３）との間の開きが狭くなる。反対に調整ダイアル（２４２）を反時計回りに回すと陽極接触端子（２５２）と陰極接触端子（２５３）が互いに離れることになる。
【００６１】
充電器（２１０）の前面下部にはランプ（２５５）が備えられ、バッテリー（２０２）の端子（２０３）に接触端子（２５０）が接触すると、ランプ（２５５）にライトが灯り、調整ダイアル（２４２）で接触端子（２５０）を動かすとき位置の選定を容易にする。
【００６２】
以下では添付図面を参照しつつ、本発明の第３実施例の動作を詳細に説明する。図８乃至図１０に示すように、充電器の支持部（２１１）に携帯フォーン（２０１）を挿入すると、後面プレート（２１４）と側面プレート（２１３）とが携帯フォーン（２０１）を中央へ押しやって、一定した同じ位置に携帯フォーン（２０１）が置かれるようにする。
【００６３】
そして、充電器（２１０）の前面にある調整ダイアル（２４２）を回しながら接触端子部（２５０）がバッテリー（２０２）の端子（２０３）と接触するようにする。接触端子部（２５０）の接触部位にスライド・ボール（２５４）が備えられていて滑らかにスライドを助け、端子（２０３）と接触するとランプ（２５５）にライトが灯る。このために携帯フォーン（２０１）の大きさや形に関係なく携帯フォーン（２０１）が充電器（２１０）の支持部（２１１）に挿入されると、接触端子部（２５０）と接触して充電がおこなわれる。
【００６４】
この本発明の第４実施例は、図１１に示すように、充電器（２７０）はバッテリー（２０２）だけを挿入、固定するように狭い支持部をもち、この支持部の下端に接触端子部（２６０）が形成される。図８に示される側面プレート（２１３）、後面プレート（２１４）、および可動移送部（２３０）は上述した第３実施例におけると同一である。
【００６５】
接触端子部（２６０）はバッテリーの前面端子（２０４）と後面端子（２０３）と容易に接触するようにフック形状としており、後面端子及び前面端子（２０３、２０４）と接触する部位は上述したところと同じくスライド・ボール（２６１、２６２）が装着されていて、調整ダイアル（２４２）を回すと滑らかな移動が可能となる。
【００６６】
以下では図面を参照しながら、本発明の第５実施例を詳明する。図１２及び図１３に示すように、この実施例は中空ボックス形の本体（３１０）を有する。本体（３１０）の上面には、長さの方向に向かって両側に切開した床板（３１１）が設けられており、この床板（３１１）には外縁近くに４個のガイド・ホール（３１４）が形成されている。本体（３１０）の内部には前記ガイド・ホール（３１４）に挿入されて、床板（３１１）の上下運動をガイドするガイド棒（３１３）が設けられており、このガイド棒（３１３）はスプリング（３１２）を有していて床板（３１１）に上方に向けて弾力を与える。
【００６７】
本体（３１０）の上面の一部には、固定接点（３２０）が設けられている。図１２に示された例において、本体（３１０）の上面における接触点支持には、この接点支持用に”¬”形状の固定接点（３２０）の一端が固定されている。固定接点（３２０）の端には、図１６に示す接点と同じく下方を向く垂直端（３８０）と底板（３１１）に平行した方向に向かう水平端（３８１）とが形成されている。
【００６８】
固定接点（３２０）の反対側には移動接点（３３１）が形成されている。固定接点（３２０）の場合と類似して、移動接点（３３１）も本体（３１０）の上面に接触点支持を有し、一端がこの接触点支持に固定されているが、この支持の中央には、内部にねじ山を有する調節ナット（３３０）が形成されていて、この調節ナット（３３０）を回すと移動接点（３３１）が移動するように構成する。移動接点（３３１）にも固定接点（３２０）と同じく垂直端（３８０）と水平端（３８１）とが形成されている。
【００６９】
前記本体（３１０）の上面には、バッテリー固定部（３４２）が形成される。望ましくは、バッテリー固定部（３４２）の一端は、図１３に示すように、バッテリー固定部の上方にある支持を中心に回動可能に固定されており、図１４に示すように、下端にローラー（３４１）を有したローラー固定バーがバッテリー固定部（３４２）の本体内に挿入されている。
【００７０】
また、バッテリー固定部（３４２）の内部には、ローラー（３４１）に下向きに弾力がかかるように、スプリング（３４０）が設けてある。望ましくは図示したとおりローラー固定バーの上部に取っ手をつける。
【００７１】
図１５及び図１６は、本発明の第６実施例の正面及び接点の断面を示している。この第６実施例は、平坦な本体（３１０）を有し、上述したと同一のバッテリー固定部（３４２）を有する。本体（３１０）の上面には、一端が支持のために固定された固定接点（３６０）が設けられ、図１６に示すように、固定接点（３６０）は、内部にスプリング（３５０）が設けられた、垂直端（３８０）と水平端（３８１）と備え、下方へ力をかけながら上下に移動するように構成する。
【００７２】
また、固定接点（３６０）の反対側には移動接点（３７１）が設けられ、移動接点（３７１）は、図１６に示したものと同じ断面形状を有し、端部にはねじ山を有し、調節ナット（３７０）を回すと移動するように構成されている。固定接点（３６０）と移動接点（３７１）の上部には、それぞれガイド・ホール（３５１）が形成されており、この二つのガイド・ホール（３５１）内にはガイド・バー（３５２）が挿入され、移動接点（３７１）が調節ナット（３７０）の回転によって移動する場合にその移動を案内する。
【００７３】
望ましくは、第５および第６実施例には、充電されるバッテリーの接点の位置を認識するセンサーと、このセンサーが検出した信号を受けとってこれをとおしてアクチュエーターを制御する制御部と、この制御部からの信号によって移動接点（３３１、３７１）と床板（３１１）、およびバッテリー固定部（３４２）の位置を移動させるアクチュエーターを設ける。このようなセンサーとしては赤外線センサーなどを用いることができ、アクチュエーターとしては小型サーボモーターなどが使用できる。当業者ならば容易にこれらと均等な他の構成要素でもって代替することもできる。
【００７４】
以下では、本発明の第５および第６実施例の作動を説明する。第５実施例における携帯フォーン充電器の場合、先ず使用者は床板（３１１）の上部に携帯フォーンのバッテリーを位置させたあと、固定接点（３２０）の垂直端（３８０）がバッテリーの充電端子に触れるようにする。それから調節ナット（３３０）を回して移動接点（３３１）の図１６に示される垂直端（３８０）がバッテリーの残りの充電端子と接触するようにすれば、床板（３１１）のスプリング（３１２）の弾力によって、バッテリーが固定接点（３２０）及び移動接点（３３１）の図１６に示される垂直端（３８０）にそれぞれの充電端子が接触した状態に固定されることになる。
【００７５】
この場合、バッテリーの一端だけが固定接点（３２０）と移動接点（３３１）によって圧されるので、バッテリーの反対端部は床板（３１１）から離れて浮くこともありえる。これを防ぐために、バッテリー固定部（３４２）を回転させてバッテリーの他端部の上面にローラー（３４１）を載せることで、バッテリー固定部（３４２）内部のスプリング（３１２）の力によってバッテリーが床板（３１１）に間違いなく固定される。
【００７６】
上述の説明は、バッテリーの充電端子がバッテリーの背面に形成された場合のことに関するもので、携帯フォーンの機種によってはバッテリーの底面に充電端子が位置することもある。このような場合にも、前述説明と同一の過程を反復することにするが、固定接点（３２０）及び移動接点（３３１）の垂直端の代わりに、バッテリーの充電端子と固定接点（３２０）及び移動接点（３３１）の水平端（３８１）とが接触するようにすればよい。
【００７７】
第６実施例の場合、先ず使用者は、固定接点（３６０）の一端を持ち、充電されるバッテリーの一側の充電端子を固定接点（３６０）の端に位置させ、バッテリーの充電端子の上に固定接点端を載せる。そして、調節ナット（３７０）を回して移動接点（３７１）の端が、バッテリーの他端の充電端子に接触するようにする。
【００７８】
上述第５実施例のように、バッテリーの一端だけを固定接点（３６０）と移動接点（３７１）が圧しているので、バッテリーの他端が本体（３１０）から離脱することがあり、そのような場合には前記ローラー（３４１）がバッテリーの他端を圧すようにバッテリー固定部（３４２）を回して調整すればよい。
【００７９】
第６実施例でも、前記固定接点（３６０）および移動接点（３７１）は、垂直端（３８０）と水平端（３８１）とを有しており、充電されるバッテリーの充電端子の位置がバッテリーの背面にあろうと底面にあろうと、それに関係なく充電が可能である。
【００８０】
以下では、図面を参照しつつ、本発明の第７実施例について詳説する。図１９及び図２０で示すように、支持板（４１０）は長方形の板材の形状であり、中央部に、下方支持用の“L”状の断面形状に形成された段が存在する。段が形成されている垂直壁内には、多数のピン形接触端子（４３０）が２列に配列されている。
【００８１】
ピン形接触端子（４３０）は、弾性部材（たとえば、スプリング。図示せず）を介して支持板（４１０）の垂直壁に設けられていて、携帯フォーンの接触端子が接触する際、弾性部材の弾力によって携帯フォーンの接触端子と密着することになる。また、支持板（４１０）の上面には、ピン形接触端子（４３０）に隣接して、多数の板スプリングタイプの接触端子が設けられている。多数のピン形接触端子（４３０）と板スプリングタイプ接触端子（４３１）は、いずれかが陽極或いは陰極の接触端子になっており、陽極端子と陰極端子とは、板の中心線を基準として一の端子群側と他の端子群側とに分離されている。
【００８２】
ピン形接触端子（４３０）と板スプリングタイプ接触端子（４３１）とは一般的な充電器に使用されるものと同じものを使用し、外部の電源供給装置と連結しているが、その連結方法および回路に関しては、業界通常の知識を有する者にとって余りにも一般的なことなので説明を省く。
【００８３】
支持板（４１０）の上部には、抑え板（４２０）が回動可能に連結されている。望ましくは、図示したようにヒンジ（４４０）で結合する。抑え板（４２０）は支持板（４１０）とのヒンジ（４４０）固定点を中心に回動することになるが、この際回動角度を十分に確保するために後ろの部分は図示したように段を形成して支持板（４１０）との間隔を大きくとる方が望ましい。
【００８４】
また、抑え板（４２０）の前の部分には“∧”状の垂直部を有することが望ましく、その下部には連結部（４２２）が突出しており、圧着板（４２３）が連結部（４２２）と回動可能に連結されている。圧着板（４２３）は長方形状を有し、上部にはヒンジ（４４１）によって連結部（４２２）に連結されるための突出部が形成されている。望ましくは、圧着板（４２３）の下面はゴムのように滑りにくい材質で形成する。
【００８５】
支持板（４１０）と抑え板（４２０）との間には、図２０に示すように、リターン・スプリング（４２４）が設けられ、このリターン・スプリング（４２４）は抑え板（４２０）に弾力をかけ、これによって圧着板（４２３）は充電器を使用しないときに支持板（４１０）の上部に接触しているようにする。
【００８６】
以下では、第７実施例の作動について詳細に説明する。図２１は、本発明による充電器に携帯フォーンが装着された状態を示すもので、使用者は携帯フォーンを充電したいとき、先ず抑え板（４２０）の後部を押して、圧着板（４２３）と支持板（４１０）との間に十分に空間をもたせるようにする。こうした状態の下で、携帯フォーンまたはバッテリーの接触端子が、充電器の接触端子に接触するようにし、抑え板（４２０）から手を放すと、リターン・スプリング（４２４）の弾力によって携帯フォーンまたはバッテリーが支持板（４１０）と圧着板（４２３）の間にしっかりと固定される。
【００８７】
図２２乃至図２４には、本発明の第８実施例による多機種携帯フォーン充電器を示す。本実施例では本体（５００）の前部に接点固定部（５０１）が設けられており、本体（５００）の上面には床板（５１０）が設けられている。この床板（５１０）の一側は、本体の終端とヒンジで回転可能に連結されており、本体の内部面と床板の底面との間にはスプリング（５１１）が設けられていて、床板は上方へ弾力がかかっている。本体の前方にはストッパー（５２０）が設けられ、スプリングの力で底板の上昇する高さを制限している。
【００８８】
接点固定部には二つの接点（５３０、５３１）が設けられる。これらの接点のうち一つは位置が固定されている固定の接点（５３０）であり、残りの一つは移動可能な移動の接点（５３１）である。すなわち、移動接点は、接点固定部に設けられた調節ナット（５４０）とねじで結合されていて、調節ナットを回すと図２３で左右に移動できるように構成される。また、前記本体の上面には前記底板を横の方向に横切るゴムバンド（５５０）が設けられている。
【００８９】
したがって、使用者は床板を圧して下ろしておいた状態で、携帯フォーンのバッテリー接点が接点固定部側にあるように携帯フォーンを床板上においた後、調節ナットを回して接点間の間隔を調整する。この状態でゴムバンドが携帯フォーンの本体を抑えているために、充電中の携帯フォーンが動いたり、後部が持ち上がるようなことを防ぐことができる。
【００９０】
【産業上の利用可能性】
上述のような構成により、多機種携帯フォーンに適用可能な本発明に係る充電器は、充電器内部で携帯フォーンの固定が容易であり、接触端子部の移送構造が簡単でありながら便利で、バッテリー端子の接触が確実におこなわれるという効果がある。また、充電される携帯フォーンの機種の差異に拘わりなく充電が可能で、特に接点間の距離はいうまでもなく垂直の高さも、ともに調節が可能であるから、どのような形態のバッテリーでも充電が可能である。更に、本発明では、分離したバッテリー固定部が提供されるため、携帯フォーンのバッテリーが充電器により確実に固定できるので、充電中バッテリーが動いて充電が中断されることなどが防げ、垂直接点と水平接点を同時に提供するので適用できるバッテリーの種類が一層多くなる。
【００９１】
併せて、センサーとアクチュエーターなどの使用は、使用者が一々肉眼でバッテリーの接点を確認しながら調節する煩雑さがなく、自動的に接点間の距離を調節できるため、使用が一層簡便である。そして、接触端子が前記支持板の垂直壁および支持板の上部に形成されているため、接触端子が充電池の背面に形成されていようが、または下面に形成されていようが、それに構わず、充電が可能である。抑え板の前の部分は“∧”状の断面とされているので、圧着板が携帯フォーンと充電池の両方を同時に圧すと、垂直壁の方へ押す力がかかるから、充電器と携帯フォーン間の接触端子とが離脱することがない。また、圧着板の下部はゴムなどの材質を使用するから、充電中の携帯フォーンや充電池が滑って離脱することも防げる。これによって、本発明による充電器では色々な形態と変わったサイズの携帯フォーンや充電池が一つの充電器によって充電でき、製造業者としては充電器を共用化して生産単価を下げることができ、消費者としても製品単価の低下による経済的利益を得ると同時に、携帯フォーンを取り替えるときにも、既存の充電器をそのまま利用できるので携帯フォーンだけを購入するだけでよく、費用の節減にも役立つ。
【図面の簡単な説明】
【図１】  本発明第１実施例に係わる多機種携帯フォーン充電器の斜視図。
【図２】  本発明第１実施例に係わる多機種携帯フォーン充電器の可動移送部の斜視図。
【図３】  本発明第１実施例に係わる多機種携帯フォーン充電器の断面図。
【図４】  本発明第２実施例に係わる多機種携帯フォーン充電器の斜視図。
【図５】  本発明第２実施例に係わる多機種携帯フォーン充電器の可動移送部の斜視図。
【図６】  本発明第２実施例に係わる多機種携帯フォーン充電器の断面図、
【図７】  本発明第２実施例に係わる多機種携帯フォーン充電器の斜視図。
【図８】  本発明第３実施例に係わる多機種携帯フォーン充電器の斜視図。
【図９】  本発明第３実施例に係わる多機種携帯フォーン充電器の可動移送部の斜視図。
【図１０】  本発明第３実施例に係わる多機種携帯フォーン充電器の断面図。
【図１１】  本発明第４実施例に係わる多機種携帯フォーン充電器の断面図。
【図１２】  本発明第５実施例に係わる多機種携帯フォーン充電器の正面図。
【図１３】  図１２に図示した実施例の平面図。
【図１４】  図１３に図示した実施例中バッテリー固定部の断面図。
【図１５】  本発明第６実施例に係わる多機種携帯フォーン充電器の正面図。
【図１６】  図１５のＡ−Ａ‘線による断面図。
【図１７】  図１２に図示した実施例に携帯フォーンが装着された状態を図示した正面図。
【図１８】  図１５に図示した実施例に携帯フォーンが装着された状態を図示した正面図。
【図１９】  本発明第７実施例に係わる多機種携帯フォーン充電器の斜視図。
【図２０】  図１９に図示した実施例の側面図。
【図２１】  図１９に図示した実施例の使用状態を図示した使用状態図。
【図２２】  本発明第８実施例に係わる多機種携帯フォーン充電器の平面図。
【図２３】  図２２に図示した実施例の正面図。
【図２４】  図２２に図示した実施例の側面図。
【符号の説明】
１０、１００、２１０、２７０  充電器
４０、１３８、２４０  ピニオン
４２、１４１、２４２  調整ダイヤル
５０、１２０、２５０  接触端子部
５４  スライドボール
１０１  本体
１０６  磁石
１１０  充電ランプ
１１２  ロッキングデバイス
１３０、２３０  可動移送部
１５０  カバー
１５５  スリット
３１０、５００  本体
３１１  床板
３２０、３６０  固定接点
３３０、３７０、５４０  調整ナット
３３１、３７１  移動接点
３４２  バッテリー固定部
３８０  垂直端
３８１  水平端
４１０  支持板
４２０  抑え板
４３０  ピン形接触端子
４３１  板スプリングタイプ接触端子
５３０、５３１  接点
５５０  ゴムバンド
【図１】
0003829094.tif 000002
【図２】
0003829094.tif 000003
【図３】
0003829094.tif 000004
【図４】
0003829094.tif 000005
【図５】
0003829094.tif 000006
【図６】
0003829094.tif 000007
【図７】
0003829094.tif 000008
【図８】
0003829094.tif 000009
【図９】
0003829094.tif 000010
【図１０】
0003829094.tif 000011
【図１１】
0003829094.tif 000012
【図１２】
0003829094.tif 000013
【図１３】
0003829094.tif 000014
【図１４】
0003829094.tif 000015
【図１５】
0003829094.tif 000016
【図１６】
0003829094.tif 000017
【図１７】
0003829094.tif 000018
【図１８】
0003829094.tif 000019
【図１９】
0003829094.tif 000020
【図２０】
0003829094.tif 000021
【図２１】
0003829094.tif 000022
【図２２】
0003829094.tif 000023
【図２３】
0003829094.tif 000024
【図２４】
0003829094.tif 000025